(57)【特許請求の範囲】
【請求項１】
加熱手段により加熱される再生器において低濃度吸収液を高濃度吸収液と冷媒とに分離し、蒸発器において、内部を空調用熱媒体としての冷温水が流れる蒸発コイルに冷媒液を散布して蒸発させるとともに前記冷温水を冷却し、吸収器において、冷却塔に連結されるとともに、内部に排熱用の冷却水を流す冷却コイルに前記高濃度吸収液を散布して前記蒸発した冷媒を吸収させ、前記冷媒を吸収して低濃度化した低濃度吸収液を低濃度吸収液流路に設けた吸収液ポンプにより前記再生器に戻す吸収式冷凍装置において、
前記再生器を、
前記加熱手段により加熱された被加熱気体の熱によって低濃度吸収液を加熱して中濃度吸収液と冷媒蒸気とに分離する高温再生器と、
該高温再生器で熱交換して吸熱された後の前記被加熱気体を排出するための被加熱気体排出通路が内部に挿通され、該被加熱気体排出通路を通過する前記被加熱気体の熱によって前記高温再生器内で分離された中濃度吸収液を加熱して、高濃度吸収液と冷媒蒸気とに分離する低温再生器とから構成し、
前記加熱手段を、
前記被加熱気体を取り囲むようにして、内壁、外壁および底壁とにより中空に形成された包囲壁状容器部と、
前記内壁および前記外壁の上縁から中心に向かって中空状に延設されて、その中心に前記被加熱気体を通過させる排出口を形成した天井容器部と、
前記天井容器部から上方に向かって延設された筒状加熱部とにより略逆漏斗状に構成し、
前記被加熱気体排出通路を、前記筒状加熱部内の中心部で、前記筒状加熱部に取り囲まれて前記天井容器部の前記排出口と連通した排気筒として構成したことを特徴とする吸収式冷凍装置。
【請求項２】
前記低温再生器は、
前記高温再生器で生じる冷媒蒸気を回収する冷媒回収タンクの外側に設けられ、前記高温再生器で生じた冷媒蒸気の潜熱と前記被加熱気体の顕熱とをともに加熱源とすることを特徴とする請求項１に記載の吸収式冷凍装置。
【請求項３】
前記加熱手段は、ガスを燃料として燃焼するガスバーナであり、前記被加熱気体は、該ガスバーナの燃焼ガスであることを特徴とする請求項１または２のいずれかに記載の吸収式冷凍装置。
【発明の詳細な説明】
【０００１】
【発明の属する技術分野】
本発明は、臭化リチウムなどの水溶液を吸収液として吸収サイクルを形成した吸収式冷凍装置に関し、特に、加熱手段によって加熱される再生器が、高温再生器と、その蒸気の潜熱を利用した低温再生器とからなる二重効用型の再生器を構成した吸収式冷凍装置に係る。
【０００２】
【従来の技術】
従来、例えば、図４に示す吸収式空調装置１００を用いた吸収式空調装置では、高温再生器１を加熱し吸収液ポンプＰ1 を作動させた吸収サイクルにおいて、蒸発器４内の冷温水配管（蒸発コイル４１）で冷却された水を冷却源とし、室内機２００の室内熱交換器（空調用熱交換器４４）へ供給して、室内熱交換器（空調用熱交換器４４）に備えられた対流ファン（ブロワ４５）を作動させて室内を冷房する。また、蒸発器４を暖房用吸収液流路Ｌ4 によって高温再生器１と連通させた状態で吸収液ポンプ１を作動させて、高温再生器１で加熱された高温の吸収液を蒸発器４へ供給することによって、蒸発器４内の冷温水配管（蒸発コイル４１）で水を加熱して加熱源とし、同様に室内熱交換器（空調用熱交換器４４）へ供給して暖房運転を行う。
【０００３】
このように構成された吸収式空調装置１００では、高温再生器１を加熱するガスバーナＢ等の加熱手段が発生した熱を効率良く再生器に吸収させるために、図３に示すように、高温再生器１の被加熱部である加熱タンク１１を、ガスバーナＢの燃焼炎を覆うように形成した略逆碗形状に形成し、高温再生器１で発生した冷媒蒸気を回収するための冷媒回収タンク１０の外側に低温再生器２を形成し、高温再生器１で冷媒蒸気が分離された中濃度吸収液を、高温再生器１内の冷媒蒸気の潜熱を利用して再び加熱して更に冷媒蒸気を分離させる二重効用型の再生器が用いられている。
ここで、高温を発生するガスバーナ等の加熱手段の熱を、効率良く吸収させるために、高温再生器の被加熱部に吸熱フィンを設けられている。
【０００４】
【発明が解決しようとする課題】
上記のとおり構成された従来の吸収式冷凍装置においては、高温を発生するガスバーナ等の加熱手段の熱を、高温再生器のみで吸熱させているため、熱吸収の効率に限界があった。
【０００５】
本発明は、再生器における吸熱の向上を図ることを目的とする。
【０００６】
【課題を解決するための手段】
この発明の請求項１では、加熱手段により加熱される再生器において低濃度吸収液を高濃度吸収液と冷媒とに分離し、蒸発器において、内部を空調用熱媒体としての冷温水が流れる蒸発コイルに冷媒液を散布して蒸発させるとともに前記冷温水を冷却し、吸収器において、冷却塔に連結されるとともに、内部に排熱用の冷却水を流す冷却コイルに前記高濃度吸収液を散布して前記蒸発した冷媒を吸収させ、前記冷媒を吸収して低濃度化した低濃度吸収液を低濃度吸収液流路に設けた吸収液ポンプにより前記再生器に戻す吸収式冷凍装置において、前記再生器を、前記加熱手段により加熱された被加熱気体の熱によって低濃度吸収液を加熱して中濃度吸収液と冷媒蒸気とに分離する高温再生器と、該高温再生器で熱交換して吸熱された後の前記被加熱気体を排出するための被加熱気体排出通路が内部に挿通され、該被加熱気体排出通路を通過する前記被加熱気体の熱によって前記高温再生器内で分離された中濃度吸収液を加熱して、高濃度吸収液と冷媒蒸気とに分離する低温再生器とから構成し、
前記加熱手段を、前記被加熱気体を取り囲むようにして、内壁、外壁および底壁とにより中空に形成された包囲壁状容器部と、前記内壁および前記外壁の上縁から中心に向かって中空状に延設されて、その中心に前記被加熱気体を通過させる排出口を形成した天井容器部と、前記天井容器部から上方に向かって延設された筒状加熱部とにより略逆漏斗状に構成し、前記被加熱気体排出通路を、前記筒状加熱部内の中心部で、前記筒状加熱部に取り囲まれて前記天井容器部の前記排出口と連通した排気筒として構成したことを特徴とする。
【０００７】
請求項２では、請求項１において、前記低温再生器は、前記高温再生器で生じる冷媒蒸気を回収する冷媒回収タンクの外側に設けられ、前記高温再生器で生じた冷媒蒸気の潜熱と前記被加熱気体の顕熱をともに加熱源とすることを特徴とする。
請求項３では、請求項１、２において、前記加熱手段は、ガスを燃料として燃焼するガスバーナであり、前記被加熱気体は、該ガスバーナの燃焼ガスであることを特徴とする。
【０００８】
【発明の作用・効果】
この吸収式冷凍装置では、高温再生器が加熱手段からの被加熱気体によって加熱されると、高温再生器内の低濃度吸収液から冷媒蒸気が分離して、低濃度吸収液は濃縮されて中濃度吸収液となり、中濃度吸収液は、低温再生器へ供給される。
低温再生器内には、高温再生器で熱交換して吸熱された後の被加熱気体を排出するための被加熱気体排出通路が挿通しており、この被加熱気体排出通路を被加熱気体が通過すると、被加熱気体の熱によって被加熱気体排出通路の壁面を介して低温再生器に供給された中濃度吸収液が加熱され、中濃度吸収液から冷媒蒸気が分離されて、高濃度吸収液となる。
【０００９】
高温再生器および低温再生器でそれぞれ分離された冷媒蒸気は、凝縮器へ供給され、また、低温再生器で濃縮された高濃度吸収液は、吸収器へ供給される。凝縮器では、冷媒蒸気が冷却されて液化し、蒸発器へ供給され、蒸発時に熱を奪い、冷却源となる。蒸発器と吸収器とは連通しており、吸収器では、高濃度吸収液が供給されると、蒸発器で蒸発した冷媒蒸気を吸収して、低濃度吸収液となり、吸収液ポンプによって高温再生器へ戻され、以下、この循環を繰り返す。
【００１０】
本発明では、加熱手段からの被加熱気体は、高温再生器を加熱するのみでなく、高温再生器で熱交換により吸熱された後の被加熱気体を排出する排出筒を被加熱気体排出通路として内部に挿通させた低温再生器でも、被加熱気体の熱が再利用されるため、高温再生器および低温再生器により総合的な熱利用が可能となり吸熱効率がよくなる。
この際、高温再生器は筒状加熱部からも吸熱を行うため、全体としての熱交換面積が広くなり、包囲壁状容器部における熱吸収による負担が軽減されて熱疲労および高温腐食に対する耐久性を向上させることができる。
【００１１】
請求項２では、低温再生器は、加熱手段によって加熱され高温再生器で熱交換して吸熱された後の被加熱気体の顕熱のみでなく、高温再生器の冷媒回収タンク内の冷媒蒸気の潜熱も利用して複数の加熱源としているため、低温再生器における吸熱能力に余裕があり、吸熱構造の設計の自由度が増し、安価な装置とすることができる。
【００１２】
請求項３では、ガスバーナを加熱手段とする。ガスバーナでは、燃焼に伴って高温の燃焼ガスが発生するが、この燃焼ガスが高温再生器で熱交換を行って吸熱された後に低温再生器内に挿通された被加熱気体排出通路を通過する際に、燃焼ガスの熱が再び吸熱されるため、ガスバーナの発生した熱を、効率良く吸熱させることができる。
【００１３】
【発明の実施の形態】
図１は空調機を示し、冷凍機本体１０１および冷却塔（クーリングタワー）ＣＴからなる吸収式冷凍装置１００を室外機として備えるとともに、室内機２００が付設されている。この空調機は、制御装置３００により制御される。
【００１４】
冷凍機本体１０１は、高温再生器１および低温再生器２からなる二重効用型の再生器を備え、高温再生器１の下方には、加熱手段としてのガスバーナＢが配置されている。低温再生器２の外周には吸収器３および蒸発器４が設けられ、蒸発器４の上方には凝縮器５が設置されている。
【００１５】
高温再生器１において、ガスバーナＢの燃焼ガスによって加熱され、内部の低濃度吸収液を沸騰させる加熱タンク１１は、図２にも示すように、ガスバーナＢの燃焼炎を取り囲むように内壁１１０ａと外壁１１０ｂと底壁１１０ｃとにより中空に形成された包囲壁状容器部１１０と、内壁１１０ａ及び外壁１１０ｂの上縁から中心に向かって延設して中空に形成され、その中心にガスバーナＢで発生した燃焼ガスを被加熱気体として通過させるための燃焼ガス排出口１１１が形成された天井容器部１１２と、天井容器部１１２から上方に向かって延設された筒状加熱部１１３とからなる略逆漏斗形状を呈しており、筒状加熱部１１３の中心部には、燃焼ガス排出口１１１と連通した排気筒１１４が上方に向けて配されている。
【００１６】
筒状加熱部１１３の外側には、加熱された低濃度吸収液を外側へ溢れさせる際に、冷媒蒸気（水蒸気）が分離した中濃度吸収液を受ける吸収液室１１５を形成するための中濃度吸収液分離筒１２が設けられている。さらに、中濃度吸収液分離筒１２の外周には、冷媒蒸気を回収する縦型円筒形の気密性の冷媒回収タンク１０が設けられている。
【００１７】
加熱タンク１１の包囲壁状容器部１１０の上部には、後述する吸収器３と連結された低濃度吸収液流路Ｌ3 が貫通して設けられており、低濃度吸収液流路Ｌ3 の先端は、包囲壁状容器部１１０内の下部で開口している。
【００１８】
従って、吸収液ポンプＰ1 が装着された低濃度吸収液流路Ｌ3 を介して吸収器３から供給される低濃度吸収液は、包囲壁状容器部１１０の下部で加熱タンク内１１内へ流出し、包囲壁状容器部１１０の下部から上部へ移動する際にガスバーナＢの燃焼ガスと熱交換して加熱され、さらに、天井容器部１１２及び筒状加熱部１１３を上昇しながら、排気筒１１４内を通過する燃焼ガスによって加熱されることになる。
【００１９】
低温再生器２は、冷媒回収タンク１０の上方及び外周に偏心して設置され、上記排気筒１１４が貫通した縦型円筒形の低温再生器ケース２０を有する。低温再生器ケース２０は、天井に冷媒蒸気出口５Ａが設けられるとともに、頂部の排気筒１１４の外側を囲んで設けられた中濃度吸収液供給室２０１内に、中濃度吸収液分離筒１２の底の吸収液室１１５と連結された中濃度吸収液流路Ｌ1 が開口し、中濃度吸収液流路Ｌ1 から供給される中濃度吸収液を中濃度吸収液供給室２０１の下端に設けた中濃度吸収液出口２１を介して冷媒回収タンク１０の外側に滴下させている。
従って、中濃度吸収液供給室２０１内へ供給された中濃度吸収液は、排気筒１１４を介して伝熱される燃焼ガスの顕熱および冷媒回収タンク１０の外壁を介して伝熱される冷媒蒸気の潜熱をともに加熱源として、再加熱される。
【００２０】
低温再生器ケース２０内には、高温再生器１の中濃度吸収液分離筒１２内との圧力差により熱交換器Ｈを介して中濃度吸収液が供給され、低温再生器２は、上述の如く冷媒回収タンク１０および排気筒１１４の各外壁を介して中濃度吸収液を加熱して、再沸騰させ、冷媒蒸気を分離させて高濃度吸収液とする。
【００２１】
低温再生器ケース２０の外周には、縦型円筒形で気密性の蒸発・吸収ケース３０が同心的に配され、蒸発・吸収ケース３０は上方に延設されて上部は凝縮器ケース５０となっている。
【００２２】
冷媒回収タンク１０、低温再生器ケース２０、蒸発・吸収ケース３０は、底板１３に一体に溶接されて冷凍機本体１０１を形成している。低温再生器ケース２０の上部は、気液分離部２２となっており、冷媒蒸気出口５Ａを介して凝縮器ケース５０内と連通している。
【００２３】
吸収器３は、蒸発・吸収ケース３０内の内側部分内に縦型円筒状に巻設した冷却コイル３１を配置し、その上方に該冷却コイル３１に高濃度吸収液を散布するための高濃度吸収液散布具３２を装着してなる。吸収器３は、冷房運転時に使用され、冷却コイル３１内には、冷却塔ＣＴで冷却された排熱用冷却水が循環している。
【００２４】
低温再生器２の高濃度吸収液受け部２３は、熱交換器Ｈを介して高濃度吸収液流路Ｌ2 により、高濃度吸収液散布具３２へ連結している。高濃度吸収液散布具３２は、高濃度吸収液が流入し、流入した高濃度吸収液は、冷却コイル３１の上端に散布され、冷却コイル３１の表面に付着して膜状になり、重力の作用で下方に流下して行く。吸収器３の底部３３と加熱タンク１１の包囲壁状容器部１１０との間は、熱交換器Ｈおよび吸収液ポンプＰ1 が装着された低濃度吸収液流路Ｌ3 で連結されている。
【００２５】
蒸発器４は、蒸発・吸収ケース３０内の冷却コイル３１の外周に、縦型円筒形で連通口付き仕切壁４０を設け、該仕切壁４０の外周に、内部を冷暖房用の冷温水が流れる縦型円筒形の蒸発コイル４１を配設し、その上方に冷媒液散布具４２を取り付けてなる。蒸発器４の底部４３は、暖房用電磁弁Ｖ1 を有する暖房用吸収液流路Ｌ4 により高温再生器１の筒状加熱部１１３と連通している。
【００２６】
冷媒液散布具４２は、冷房運転時に使用され、冷媒液を蒸発コイル４１の上に滴下させる。滴下された冷媒は、表面張力で蒸発コイル４１の表面を濡らして膜状となり重力の作用で下方に降下しながら、低圧となっている蒸発・吸収ケース３０内で蒸発コイル４１から気化熱を奪って蒸発し、蒸発コイル４１内を流れる冷暖房用の冷温水を冷却する。
【００２７】
凝縮器５は、冷房運転時に使用され、凝縮器ケース５０の内部に、内部を冷却塔ＣＴで冷却された排熱用冷却水が循環している冷却コイル５１を配設してなる。凝縮器ケース５０は、冷媒流路Ｌ5 により冷媒回収タンク１０の底部１４と連通するとともに、冷媒蒸気出口５Ａを介して低温再生器２と連通しており、いずれも圧力差により冷媒が供給される。
【００２８】
凝縮器ケース５０に供給された冷媒は、冷却コイル５１により冷却されて液化する。凝縮器５の下部と蒸発器４の蒸発コイル４１の上方に設置された冷媒液散布具４２とは、冷媒液供給路Ｌ6 で連通している。液化した冷媒液は、冷媒液供給路Ｌ6 に設けられた冷媒冷却器５２を経て冷媒液散布具４２に供給される。
【００２９】
この実施例では、冷却コイル３１は冷却コイル５１に接続し、さらに冷却塔ＣＴと冷却水流路３４で接続してある。冷却水流路３４には、冷却水ポンプＰ2 が装着され、冷却コイル３１および冷却コイル５１で吸熱して高温となった冷却水が、冷却塔ＣＴに供給されて大気中に放熱して低温度になる排熱サイクルを形成している。
【００３０】
冷房運転時には、冷却水ポンプＰ2 により冷却水が、冷却塔ＣＴ→冷却コイル３１→冷却コイル５１→冷却塔ＣＴの順に循環している。なお、吸収液は、高温再生器１→低温再生器２→吸収器３→吸収液ポンプＰ1 →高温再生器１の順に循環する。
【００３１】
室内機２００は、空調熱交換器４４、およびブロワ４５を有する。蒸発コイル４１の両端は、ゴムホース等で形成された冷温水流路４６で空調熱交換器４４に連結されている。冷温水流路４６には、冷温水ポンプＰ3 が設けられており、空調熱交換器４４に冷温水を循環させる。
【００３２】
暖房運転時は、暖房用電磁弁Ｖ1 を開弁し、吸収液ポンプＰ1 を作動させる。高温度の中濃度吸収液は蒸発器４に底４３から流入する。蒸発コイル４１内の冷温水は、加熱されて冷温水ポンプＰ3 により冷温水流路４６で室内機２００内の空調熱交換器４４に供給され、暖房の熱源となる。蒸発器４内の中濃度吸収液は、仕切壁４０の連通口から吸収器３側に入り、低濃度吸収液流路Ｌ3 を経て、吸収液ポンプＰ1 により加熱タンク１１へ戻される。
【００３３】
使用者が空調を停止するため、室内機２００のオン・オフスイッチにより作動停止操作をすると、吸収式冷凍装置１００は、室内機２００の作動停止後も一定時間の間、吸収液の晶析防止のための希釈運転が必要であり、そのためガスバーナＢの燃焼を停止したのち吸収液ポンプＰ1 および冷却水ポンプＰ2 は前記希釈運転の終了後に停止する。
【００３４】
以上の構成からなる吸収式冷凍装置１００において、ガスバーナＢが燃焼すると、その燃焼ガスにより加熱タンク１１の包囲壁状容器部１１０内の吸収液が加熱され、吸収液サーミスタ（図示なし）によって検知される吸収液温度が１００℃に達すると、吸収液ポンプＰ1 の駆動が開始され、吸収器３から加熱タンク１１内へ低濃度吸収液が供給される。
【００３５】
加熱タンク１１内では、低濃度吸収液は、包囲壁状容器部１１０のみでなく、天井容器部１１２及び筒状加熱部１１３を移動する間、筒状加熱部１１３の内壁及び吸熱フィン１１３ａを介してガスバーナＢの燃焼ガスと熱交換が行われて加熱され、加熱された吸収液から冷媒蒸気が分離される。他方、冷媒蒸気が分離されて濃化した中濃度吸収液は、筒状加熱部１１３の外壁上端を乗り越えて、中濃度吸収液分離筒１２の内側の吸収液室１１５に移動し、中濃度吸収液流路Ｌ1 を通って熱交換器Ｈを介して低温再生器２へ供給される。
低濃度吸収液から分離された冷媒蒸気は、冷媒回収タンク１０内で、冷媒回収タンク１０の外壁に潜熱を奪われて凝縮し中濃度吸収液分離筒１２の外側の底部１４を経て、冷媒流路Ｌ5 を通って凝縮器５へ供給される。
【００３６】
低温再生器２へ供給された中濃度吸収液は、中濃度吸収液供給室２０１内で、高温再生器１で熱交換して吸熱された後に排気筒１１４を通過するガスバーナＢの燃焼ガスの顕熱と、冷媒回収タンク１０内の潜熱とによって排気筒１１４及び冷媒回収タンク１０の外壁を介して再加熱されて、冷媒蒸気を分離する。分離された冷媒蒸気は、冷媒蒸気出口５Ａを通って、凝縮器５へ供給される。
低温再生器２内で冷媒蒸気が分離されて濃化した高濃度吸収液は、高濃度吸収液受け部２３に貯留され、高濃度吸収液流路Ｌ2 を通って吸収器３の高濃度吸収液散布具３２へ供給される。
【００３７】
凝縮器５では、冷媒蒸気が冷却されて液化し、蒸発器４へ供給される。蒸発器４では冷媒液の蒸発時に蒸発コイル４１の冷温水から熱を奪い、温度低下した冷温水は冷却源となる。蒸発器４と吸収器３とは連通しており、吸収器３では、高濃度吸収液が供給されると、蒸発器４で蒸発した冷媒蒸気を吸収して、低濃度吸収液となり、吸収液ポンプＰ1 によって高温再生器１へ戻され、以下、この循環を繰り返す。
【００３８】
このように、本実施例では、ガスバーナＢの燃焼ガスは、高温再生器１の加熱タンク１１内の低濃度吸収液を加熱するばかりでなく、排気筒１１４を通過する際に、低温再生器２内の中濃度吸収液を加熱する加熱源として作用する。従って、ガスバーナＢの燃焼ガスの熱は、高温再生器１を加熱するのみでなく、高温再生器１を加熱した後の燃焼ガスが排出される排気筒１１４を内側に挿通させた低温再生器２でも燃焼ガスの熱が再利用されるため、高温再生器１および低温再生器２による総合的な吸熱の効率がよい。
【００３９】
また、高温再生器１は筒状加熱部１１３でも吸熱するため、熱交換面積が広くなり、包囲壁状容器部１１０における熱吸収による負担が軽減され、熱疲労、高温腐食に対する耐久性が向上する。
この結果、包囲壁状容器部１１０の耐久性向上のための負担を増加させることなく、熱吸収の効率を向上させることができる。
【００４０】
また、低温再生器２は、排気筒１１４を通過するガスバーナＢの燃焼ガスの顕熱と、高温再生器１の冷媒回収タンク１０内の冷媒蒸気の潜熱も利用して複数の加熱源としているため、低温再生器２における吸熱に余裕があり、吸熱構造の設計の自由度が増し、安価な装置とすることができる。
尚、低温再生器２の中濃度吸収液供給室２０１内を挿通する排気筒１１４内にも、吸熱フィンを設けると、燃焼ガスの顕熱吸収量が増えて、更に、効率が向上する。
【００４１】
図３に本発明の変形例を示す。この変形例では、排気筒１１４を高温再生器１に貫通させておらず、高温再生器１に対して加熱を行って、高温再生器１の外側に回り出た後の燃焼ガスを、低温再生器２内に挿通させた排気筒１１４を利用し排出させている。従って、この変形例では、高温再生器１における熱疲労に対する耐久性は向上しないが、熱交換の効率は、上記実施例と同様に向上する。
【００４２】
上記実施例では、なお、加熱源としては、ガスバーナＢの代わりに石油バーナや電熱ヒータなど他の熱源が使用できる。
【図面の簡単な説明】
【図１】吸収式冷凍装置を用いた冷暖房装置の概念図である。
【図２】吸収式冷凍装置のガスバーナおよび加熱タンクを示す部分断面図である。
【図３】吸収式冷凍装置のガスバーナおよび加熱タンクの変形例を示す部分断面図である。
【図４】従来の吸収式冷凍装置を用いた冷暖房装置の概念図である。
【符号の説明】
１００  吸収式冷凍装置
Ｂ  ガスバーナ（加熱手段）
１  高温再生器（再生器）
１０  冷媒回収タンク
１１  加熱タンク（加熱手段）
１１０  包囲壁状容器部
１１０ａ  内壁
１１０ｂ  外壁
１１０ｃ  底壁
１１１  燃焼ガス排出口（排出口）
１１２  天井容器部
１１３  筒状加熱部
１１４  排気筒（被加熱気体排出通路）
２  低温再生器（再生器）
３  吸収器
４  蒸発器
Ｐ１  吸収液ポンプ
Ｌ３  低濃度吸収液流路
【図１】
0003904726.tif 000002
【図２】
0003904726.tif 000003
【図３】
0003904726.tif 000004
【図４】
0003904726.tif 000005